【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
1つまたは複数の局がチャネル情報を算出するのを可能にする1つまたは複数のトレーニングフィールドと、前記1つまたは複数の局が前記チャネル情報を報告を介してフィードバックするのに使用するためのリソースの指示とを一括的に有する1つまたは複数のフレームを生成するステップであって、前記1つまたは複数のフレームが、それについてチャネル情報が要求され、かつ、各々が1つまたは複数のトーンを含む、1つまたは複数のリソースユニット(RU)を示す情報を含む、ステップと、
前記1つまたは複数のフレームと、前記報告に含めるべきチャネル情報パラメータのタイプの指示とを送信するステップと、
前記1つまたは複数のトレーニングフィールドに基づいて前記1つまたは複数のRUに関して算出された前記局の少なくとも1つからの前記チャネル情報を、前記指示されたリソース上で受信するステップであって、前記チャネル情報が、前記1つまたは複数のRUの各々に関する複数のチャネル情報パラメータを含む前記報告を介して受信され、前記複数のチャネル情報パラメータは、前記指示されたチャネル情報パラメータのタイプに基づく、ステップとを含む方法。
【請求項２】
前記指示は、多入力多出力(MIMO)制御フィールドを介してシグナリングされる、請求項1に記載の方法。
【請求項３】
前記1つまたは複数のフレームは、
少なくとも1つのアナウンスフレームおよび少なくとも1つのトリガフレームを含む、請求項1に記載の方法。
【請求項４】
前記アナウンスフレームは、前記1つまたは複数のRUを示す情報を含む、請求項3に記載の方法。
【請求項５】
前記トリガフレームは、前記1つまたは複数のRUを示す情報を含む、請求項3に記載の方法。
【請求項６】
前記アナウンスフレームは第1の部分的な情報を含み、
前記トリガフレームは第2の部分的な情報を含み、前記第1および第2の部分的な情報は、前記1つまたは複数の報告ユニットを一括的に示す、請求項3に記載の方法。
【請求項７】
前記報告は、圧縮V行列情報を含む、請求項1に記載の方法。
【請求項８】
前記報告は、前記1つまたは複数のRUの各々の前記1つまたは複数のトーンに関する圧縮V行列情報を含む、請求項7に記載の方法。
【請求項９】
ワイヤレス通信のための方法であって、
1つまたは複数の局がチャネル情報を算出するのを可能にする1つまたは複数のトレーニングフィールドと、前記1つまたは複数の局が前記チャネル情報を報告を介してフィードバックするのに使用するためのリソースの指示とを一括的に有する1つまたは複数のフレームを受信するステップであって、前記1つまたは複数のフレームが、それについて前記チャネル情報が要求され、かつ、各々が1つまたは複数のトーンを含む、1つまたは複数のリソースユニット(RU)を示す情報を含む、ステップと、
前記報告に含めるべきチャネル情報パラメータのタイプの指示を提供するシグナリングを受信するステップと、
前記1つまたは複数のトレーニングフィールドに基づいて前記1つまたは複数のRUに関する前記チャネル情報を生成するステップと、
前記1つまたは複数のRUの各々に関する複数のチャネル情報パラメータを含む前記報告を介して前記チャネル情報を送信するステップであって、前記1つまたは複数のチャネル情報パラメータは、前記指示されたチャネル情報パラメータのタイプに基づく、ステップとを含む方法。
【請求項１０】
前記指示は、多入力多出力(MIMO)制御フィールドを介して受信される、請求項9に記載の方法。
【請求項１１】
前記1つまたは複数のフレームは、
少なくとも1つのアナウンスフレームおよび少なくとも1つのトリガフレームを含む、請求項9に記載の方法。
【請求項１２】
前記アナウンスフレームは、前記1つまたは複数のRUを示す情報を含む、請求項11に記載の方法。
【請求項１３】
前記トリガフレームは、前記1つまたは複数のRUを示す情報を含む、請求項11に記載の方法。
【請求項１４】
前記アナウンスフレームは第1の部分的な情報を含み、
前記トリガフレームは第2の部分的な情報を含み、前記第1および第2の部分的な情報は、前記1つまたは複数のRUを一括的に示す、請求項11に記載の方法。
【請求項１５】
前記報告は、圧縮V行列情報を含む、請求項9に記載の方法。
【請求項１６】
前記報告は、前記1つまたは複数のRUの各々の前記1つまたは複数のトーンに関する圧縮V行列情報を含む、請求項15に記載の方法。
【請求項１７】
ワイヤレス通信のための装置であって、
メモリと、
前記メモリに結合された少なくとも1つのプロセッサと
を備え、前記少なくとも1つのプロセッサは、
1つまたは複数の局がチャネル情報を算出するのを可能にする1つまたは複数のトレーニングフィールドと、前記1つまたは複数の局が前記チャネル情報を報告を介してフィードバックするのに使用するためのリソースの指示とを一括的に有する1つまたは複数のフレームを生成することであって、前記1つまたは複数のフレームが、それについてチャネル情報が要求され、かつ、各々が1つまたは複数のトーンを含む、1つまたは複数のリソースユニット(RU)を示す情報を含む、送信することと、
前記1つまたは複数のフレームと、前記報告に含めるべきチャネル情報パラメータのタイプの指示とを送信することと、
前記1つまたは複数のトレーニングフィールドに基づいて前記1つまたは複数のRUに関して算出された前記局の少なくとも1つからの前記チャネル情報を、前記指示されたリソース上で受信することであって、前記チャネル情報が、前記1つまたは複数のRUの各々に関する複数のチャネル情報パラメータを含む前記報告を介して受信され、前記複数のチャネル情報パラメータは、前記指示されたチャネル情報パラメータのタイプに基づく、受信することとを行うように構成される装置。
【請求項１８】
前記指示は、多入力多出力(MIMO)制御フィールドを介してシグナリングされる、請求項17に記載の装置。
【請求項１９】
前記1つまたは複数のフレームは、
少なくとも1つのアナウンスフレームおよび少なくとも1つのトリガフレームを含む、請求項17に記載の装置。
【請求項２０】
前記アナウンスフレームは、前記1つまたは複数のRUを示す情報を含む、請求項19に記載の装置。
【請求項２１】
ワイヤレス通信のための装置であって、
メモリと、
前記メモリに結合された少なくとも1つのプロセッサと
を含み、前記少なくとも1つのプロセッサは、
1つまたは複数の局がチャネル情報を算出するのを可能にする1つまたは複数のトレーニングフィールドと、前記1つまたは複数の局が前記チャネル情報を報告を介してフィードバックするのに使用するためのリソースの指示とを一括的に有する1つまたは複数のフレームを受信することであって、前記1つまたは複数のフレームが、それについて前記チャネル情報が要求され、かつ、各々が1つまたは複数のトーンを含む、1つまたは複数のリソースユニット(RU)を示す情報を含む、受信することと、
前記報告に含めるべきチャネル情報パラメータのタイプの指示を提供するシグナリングを受信することと、
前記1つまたは複数のトレーニングフィールドに基づいて前記1つまたは複数のRUに関する前記チャネル情報を生成することと、
前記1つまたは複数のRUの各々に関する複数のチャネル情報パラメータを含む前記報告を介して前記チャネル情報を送信することであって、前記1つまたは複数のチャネル情報パラメータは、前記指示されたチャネル情報パラメータのタイプに基づく、送信することとを行うように構成される装置。
【請求項２２】
前記指示は、多入力多出力(MIMO)制御フィールドを介してシグナリングされる、請求項21に記載の装置。
【請求項２３】
前記1つまたは複数のフレームは、
少なくとも1つのアナウンスフレームおよび少なくとも1つのトリガフレームを含む、請求項22に記載の装置。
【請求項２４】
前記アナウンスフレームは、前記1つまたは複数のRUを示す情報を含む、請求項23に記載の装置。